(57)【要約】【課題】面白みのある情報の伝達を可能とする携帯端末等を提供する。【解決手段】ＩＣカード３は、携帯端末２にて読取可能なＩＣカードであり、動作対象の動作を指定する動作指定情報が書込まれている。携帯端末２は、動作対象を動作させる表示を行うために用いられる、動作対象の画像を含む動作表示情報を記憶する記憶手段２０１と、動作指定情報をＩＣカード３から読取る読取手段２０２と、動作指定情報で指定された動作を動作対象にさせる表示を行う表示手段２０３と、を備える。【選択図】図７
2020181254.tif 000002
【特許請求の範囲】
【請求項１】
動作対象の画像を動作させる表示を行うために用いられる、動作対象の画像を含む動作表示情報を記憶する記憶手段と、
動作対象の動作を指定する動作指定情報をICカードから読取る読取手段と、
前記動作指定情報で指定された動作を動作対象にさせる表示を行う表示手段と、
を備えることを特徴とする携帯端末。
【請求項２】
前記動作指定情報をICカードに書込む書込手段を備えることを特徴とする請求項１に記載の携帯端末。
【請求項３】
前記ICカードに動作指定情報が既に書込まれている場合、前記書込手段は、当該動作指定情報に上書きして新たな動作指定情報を書込むことを特徴とする請求項２に記載の携帯端末。
【請求項４】
前記ICカードに動作指定情報が既に書込まれている場合、前記書込手段は、新たな動作指定情報を書込まないことを特徴とする請求項２に記載の携帯端末。
【請求項５】
前記書込手段は、前記表示を行うのに必要な認証情報を前記ICカードに更に書込むことを特徴とする請求項２から請求項４のいずれかに記載の携帯端末。
【請求項６】
前記記憶手段は、複数の動作対象について前記動作表示情報を記憶し、
前記読取手段は、動作させる動作対象を指定する対象指定情報を前記ICカードから更に読取り、
前記表示手段は、前記動作指定情報で指定された動作を、前記対象指定情報で指定された動作対象にさせる表示を行うことを特徴とする請求項１から請求項５のいずれかに記載の携帯端末。
【請求項７】
動作対象の画像を動作させる表示を行う携帯端末にて読取可能なICカードであって、動作対象の動作を指定する動作指定情報が記憶され、且つ動作対象の画像が記憶されていないことを特徴とするICカード。
【請求項８】
前記動作指定情報が上書き可能であることを特徴とする請求項７記載のICカード。
【請求項９】
前記動作指定情報が上書き不可であることを特徴とする請求項７記載のICカード。
【請求項１０】
前記表示を行うために必要な認証情報が記憶されたことを特徴とする請求項７から請求項９のいずれかに記載のICカード。
【請求項１１】
動作させる動作対象を指定する対象指定情報が記憶されたことを特徴とする請求項７から請求項１０のいずれかに記載のICカード。
【請求項１２】
動作対象の画像を動作させる表示を行う携帯端末と、ICカードとを有する表示システムであって、
前記ICカードには、動作対象の動作を指定する動作指定情報が記憶され、
前記携帯端末は、
動作対象の画像を動作させる表示を行うために用いられる、動作対象の画像を含む動作表示情報を記憶する記憶手段と、
前記動作指定情報を前記ICカードから読取る読取手段と、
前記動作指定情報で指定された動作を動作対象にさせる表示を行う表示手段と、
を備えることを特徴とする表示システム。
【請求項１３】
動作対象の画像を動作させる表示を行うために用いられる、動作対象の画像を含む動作表示情報を記憶する携帯端末を、
動作対象の動作を指定する動作指定情報をICカードから読取る読取手段と、
前記動作指定情報で指定された動作を動作対象にさせる表示を行う表示手段と、
を備える携帯端末として機能させるためのプログラム。
【発明の詳細な説明】
【技術分野】
【０００１】
本発明は、二者間で情報伝達を行うための携帯端末、ICカード、表示システム、およびプログラムに関する。
【背景技術】
【０００２】
知人にお祝い等のメッセージを伝えたい場合、そのメッセージをメッセージカードに記入して知人に贈ることがある。このような贈答用のメッセージカードは、主に紙または紙に近い性質の材料でできており、手書きまたは印刷によりメッセージを記入する。特許文献１、２にはそのようなメッセージカードの例が開示されている。
【先行技術文献】
【特許文献】
【０００３】
【特許文献１】特開2017-080968号公報
【特許文献２】特開2016-153245号公報
【発明の概要】
【発明が解決しようとする課題】
【０００４】
一般的なメッセージカードでは、カードの表面と裏面だけが自由にメッセージを記入できる領域であり、その表現も手書きや印刷によるものに限られる。そのため、相手に伝えることのできる情報は限られ、面白みのある情報を相手に伝達することは難しい。
【０００５】
特許文献１、２のメッセージカードはその工夫により意匠性に優れたものとなっているが、相手に伝える情報に面白みを持たせることが難しい点では従来と変わりが無かった。
【０００６】
本発明は上記の問題に鑑みてなされたものであり、面白みのある情報の伝達を可能とする携帯端末等を提供することを目的とする。
【課題を解決するための手段】
【０００７】
前述した課題を解決するための第１の発明は、動作対象の画像を動作させる表示を行うために用いられる、動作対象の画像を含む動作表示情報を記憶する記憶手段と、動作対象の動作を指定する動作指定情報をICカードから読取る読取手段と、前記動作指定情報で指定された動作を動作対象にさせる表示を行う表示手段と、を備えることを特徴とする携帯端末である。
【０００８】
第１の発明によれば、動作対象を動作させる表示を行うのに必要な動作対象の画像等の動作表示情報を携帯端末に記憶しておき、ICカードに書込まれた動作指定情報を当該携帯端末にて読取ると、読取った動作指定情報で指定された動作を動作対象にさせる表示を行うことが可能となる。これにより、ICカードの送り手と受け手の二者間で、動作対象の動作による面白みのある情報の伝達が可能になる。しかも、ICカードに動作対象の画像等の大容量のデータを記憶させる必要はなく、小さいデータ容量のICカードを贈答に用いることができる。
【０００９】
前記携帯端末は、前記動作指定情報をICカードに書込む書込手段を備えることも望ましい。
これにより、ICカードに所望の動作指定情報を書込めるようになり、携帯端末をICカードの送り手の携帯端末としても機能させることができる。
【００１０】
前記ICカードに動作指定情報が既に書込まれている場合、前記書込手段は、当該動作指定情報に上書きして新たな動作指定情報を書込むことができる。あるいは、新たな動作指定情報を書込まないようにしてもよい。
前者の場合、１枚のICカードで情報交換ができ、ICカードを用いた相互コミュニケーションが可能になる。後者の場合、書込んだ動作指定情報が第三者によって改変されるのを防ぐことができる。
【００１１】
前記書込手段は、前記表示を行うのに必要な認証情報を前記ICカードに更に書込むことも望ましい。
これにより、第三者が前記の表示を行うのを防ぐことができる。
【００１２】
前記記憶手段は、複数の動作対象について前記動作表示情報を記憶し、前記読取手段は、動作させる動作対象を指定する対象指定情報を前記ICカードから更に読取り、前記表示手段は、前記動作指定情報で指定された動作を、前記対象指定情報で指定された動作対象にさせる表示を行うことも望ましい。
これにより、動作をさせる動作対象をICカードの送り手によって選択することが可能となるため、表現の幅を広げることができる。
【００１３】
第２の発明は、動作対象の画像を動作させる表示を行う携帯端末にて読取可能なICカードであって、動作対象の動作を指定する動作指定情報が記憶され、且つ動作対象の画像が記憶されていないことを特徴とするICカードである。
【００１４】
前記動作指定情報は例えば上書き可能であるが、上書き不可であってもよい。
【００１５】
前記ICカードには、前記表示を行うために必要な認証情報が記憶されることも望ましい。また、動作させる動作対象を指定する対象指定情報が記憶されることも望ましい。
【００１６】
第３の発明は、動作対象の画像を動作させる表示を行う携帯端末と、ICカードとを有する表示システムであって、前記ICカードには、動作対象の動作を指定する動作指定情報が記憶され、前記携帯端末は、動作対象の画像を動作させる表示を行うために用いられる、動作対象の画像を含む動作表示情報を記憶する記憶手段と、前記動作指定情報を前記ICカードから読取る読取手段と、前記動作指定情報で指定された動作を動作対象にさせる表示を行う表示手段と、を備えることを特徴とする表示システムである。
【００１７】
第４の発明は、動作対象の画像を動作させる表示を行うために用いられる、動作対象の画像を含む動作表示情報を記憶する携帯端末を、動作対象の動作を指定する動作指定情報をICカードから読取る読取手段と、前記動作指定情報で指定された動作を動作対象にさせる表示を行う表示手段と、を備える携帯端末として機能させるためのプログラムである。
【発明の効果】
【００１８】
本発明により、面白みのある情報の伝達を可能とする携帯端末等を提供することが可能となる。
【図面の簡単な説明】
【００１９】
【図１】表示システム１の概要を示す図。
【図２】携帯端末２のハードウェア構成を示す図。
【図３】携帯端末２の記憶部２２に記憶されるデータの例。
【図４】携帯端末２の記憶部２２に記憶されるデータの例。
【図５】ICカード３の構成を示す図。
【図６】ICカード３のEEPROM３５に記憶されるデータの例。
【図７】表示システム１の機能構成を示す図。
【図８】ICカード３への書込みの手順を示すフローチャート。
【図９】設定画面の例。
【図１０】動作対象４０の画像を動作させる表示を行う手順を示すフローチャート。
【図１１】動作対象４０を動作させる表示の例。
【図１２】動作対象４０の例。
【図１３】認証情報３５３について説明する図。
【発明を実施するための形態】
【００２０】
以下、図面に基づいて本発明の好適な実施形態について詳細に説明する。
【００２１】
（１．表示システム１）
図１は本発明の実施形態に係る表示システム１の概要を示す図である。図１に示すように、表示システム１では、NFC(Near Field Communication)などの非接触式の通信を行う携帯端末２（２ａ、２ｂ）とICカード３が用いられ、ICカード３が送り手から受け手に贈られる。
【００２２】
ICカード３の送り手は、自身の携帯端末２ａを用いてICカード３に情報を書込んでおり、ICカード３の受け手は、自身の携帯端末２ｂによってICカード３から情報を読取り、当該情報に基づいて動作対象４０の画像を動作させる表示が行われる仕組みとなっている。ICカード３に書込まれる情報の詳細については後述する。また本実施形態では上記の動作対象４０が人や動物等のキャラクターであるが、これに限ることはない。
【００２３】
図２は携帯端末２（２ａ、２ｂ）のハードウェア構成を示す図である。携帯端末２は例えばスマートフォンやタブレット端末であり、制御部２１、記憶部２２、通信部２３、表示部２４、入力部２５、カメラ２６、ICカードR/W（リーダライタ）２７等をバスを介して接続し構成される。ただし、携帯端末２はこれに限ることなく、用途、目的に応じて様々な構成を採ることが可能である。
【００２４】
制御部２１は、CPU、ROM、RAM等から構成される。CPUは、記憶部２２、ROM等の記憶媒体に格納されたプログラムをRAM上のワークエリアに呼び出して実行する。ROMは不揮発性メモリであり、ブートプログラムやBIOS等のプログラム、データ等を恒久的に保持している。RAMは揮発性メモリであり、記憶部２２、ROM等からロードしたプログラムやデータを一時的に保持するとともに、制御部２１が各種処理を行うために使用するワークエリアを備える。
【００２５】
記憶部２２はフラッシュメモリ等であり、制御部２１が実行するプログラム、プログラム実行に必要なデータ、OS等が格納される。これらのプログラムやデータは、制御部２１により必要に応じて読み出され実行される。記憶部２２には本システム専用のアプリケーションやデータが格納され、これにより携帯端末２に後述する処理を実行させ、携帯端末２をICカード３の送り手の携帯端末２ａとしてもICカード３の受け手の携帯端末２ｂとしても機能させることができる。
【００２６】
通信部２３はインターネット等のネットワークを介した通信を媒介する通信インターフェースである。
表示部２４は液晶パネル等のディスプレイ装置を有する。
入力部２５は例えばディスプレイ装置と一体的に設けられたタッチパネルであり、携帯端末２へのデータ入力に用いられる。
【００２７】
カメラ２６は例えばCCD(Charge Coupled Device)イメージセンサ等の撮像素子を用いたデジタルカメラである。
ICカードR/W２７は、非接触式の通信によりICカード３の情報の読取やICカード３への情報の書込を行うものである。
【００２８】
図３（ａ）に示すように、携帯端末２の記憶部２２には、本システムで用いるデータとして、対象指定情報２２１、動作指定情報２２２、動作表示情報２２３等のデータが記憶される。
【００２９】
対象指定情報２２１は、動作させる動作対象４０を指定する情報である。本実施形態では複数の動作対象４０の個々について対象指定情報２２１が記憶される。
【００３０】
動作指定情報２２２は、動作対象４０の動作を指定する情報である。本実施形態では複数の動作の個々について動作指定情報２２２が記憶される。
【００３１】
動作表示情報２２３は、動作対象４０の画像を動作させる表示を行うために用いられる情報であり、図３（ｂ）に示すような動作対象４０の画像を含む。動作対象４０の画像は２次元的なものであってもよいし、３次元的なものであってもよい。本実施形態では複数の動作対象４０のそれぞれについて動作表示情報２２３が記憶される。
【００３２】
図４（ａ）は対象指定情報２２１、動作指定情報２２２、動作表示情報２２３の一例である。対象指定情報２２１は例えば「キャラクターＡ」などのテキストデータであり、動作指定情報２２２は例えば「歩く」などのテキストデータである。
【００３３】
また本実施形態では動作表示情報２２３が対象指定情報２２１、動作指定情報２２２ごとに定められており、動作表示情報２２３は例えば図４（ｂ）のような、動作対象４０（「キャラクターＡ」）の画像が「歩く」という動作を行う動画データである。しかしながら動作表示情報２２３はこれに限らず、例えば動作表示情報２２３を、動作対象４０の画像と動作対象４０の画像の特定の部位の変位ベクトルによって規定し、当該変位ベクトルを動作ごとに異ならせることなども可能である。
【００３４】
図５（ａ）に示すように、ICカード３は、非接触ICチップ３１とアンテナ３７を内部に設け、ICカード３内を周回するアンテナ３７の両端を非接触ICチップ３１に接続したものである。なお、ICカード３の表面や裏面に手書き等によるメッセージを記入できるようにしてもよい。
【００３５】
図５（ｂ）は非接触ICチップ３１の構成を示す図である。図５（ｂ）に示すように、非接触ICチップ３１は、CPU３２、ROM３３、RAM３４、EEPROM３５、及びI/F(Interface)３６等を備えて構成される。
【００３６】
CPU３２は、ROM３３やEEPROM３５に格納されるプログラムをRAM３４上のワークエリアに呼び出して実行する。ROM３３は、読出し専用のメモリであり、プログラム、データ等を恒久的に保持する。RAM３４は、呼び出したプログラムやデータを一時的に保持するとともに、CPU３２が各種処理を行うために使用するワークエリアを備える。
【００３７】
EEPROM３５は、データの上書きが可能な不揮発性メモリである。I/F３６は、非接触式の通信を行うICカード３用のインターフェースであり、例えばISO18092規格に基づくものである。非接触ICチップ３１のCPU３２は、I/F３６及びアンテナ３７を介して携帯端末２との間でデータを送受信する。
【００３８】
図６（ａ）に示すように、ICカード３のEEPROM３５には、対象指定情報３５１、動作指定情報３５２等のデータが記憶される。
【００３９】
対象指定情報３５１は、前記した対象指定情報２２１のうちICカード３のEEPROM３５に書込まれたものである。
【００４０】
動作指定情報３５２は、前記した動作指定情報２２２のうちICカード３のEEPROM３５に書込まれたものである。図６（ｂ）は動作指定情報３５２の一例であり、「歩く」→「躓く」→「振り返る」→「走る」という複数の動作を動作対象４０に連続して行わせるように、複数の動作指定情報３５２が、動作順の識別が可能な形で書込まれる。例えば、複数の動作指定情報３５２が、上記動作順に対応する順番でレコードとして書込まれたテーブルがEEPROM３５内に記憶される。
【００４１】
図７は表示システム１の機能構成を示す図である。図７に示すように、表示システム１において、携帯端末２は記憶手段２０１、読取手段２０２、表示手段２０３、書込手段２０４等を有する。
【００４２】
記憶手段２０１は携帯端末２の記憶部２２に対応し、前記した対象指定情報２２１、動作指定情報２２２、動作表示情報２２３等を記憶するものである。
【００４３】
読取手段２０２は、携帯端末２の制御部２１が、ICカード３に書込まれた対象指定情報３５１や動作指定情報３５２をICカードR/W２７を介して読取るものである。
【００４４】
表示手段２０３は、携帯端末２の制御部２１が、上記対象指定情報３５１で指定された動作対象４０に、上記動作指定情報３５２で指定された動作をさせる表示を表示部２４にて行うものである。
【００４５】
書込手段２０４は、携帯端末２の制御部２１が、ICカードR/W２７を介して対象指定情報２２１や動作指定情報２２２をICカード３に書込むものである。
【００４６】
なお、本実施形態ではICカード３のEEPROM３５に対象指定情報３５１や動作指定情報３５２が書込まれるので、ICカード３に対象指定情報３５１や動作指定情報３５２が既に書込まれている場合であっても、これらの対象指定情報３５１や動作指定情報３５２に上書きして新たな対象指定情報３５１や動作指定情報３５２を書込むことが可能である。
【００４７】
（２．表示システム１における処理）
次に、本実施形態の表示システム１で行われる処理について説明する。前記したように、本実施形態ではICカード３の送り手の携帯端末２ａによるICカード３への書込、および、ICカード３の受け手の携帯端末２ｂによる動作対象４０の動作の表示が行われるので、以下ではそれぞれの手順について説明する。
【００４８】
（２−１．ICカード３への書込）
図８はICカード３への書込の手順を示すフローチャートであり、図８の各ステップは携帯端末２ａの制御部２１が携帯端末２ａの各部を制御して実行する。
【００４９】
本実施形態において、ICカード３の送り手であるユーザは自身の携帯端末２ａを操作し、携帯端末２ａはその操作に応じて専用のアプリケーションを起動する（Ｓ１０１）。そして、携帯端末２ａは、設定画面を表示部２４に表示し、動作させる動作対象４０とその動作の設定を受付ける（Ｓ１０２）。
【００５０】
図９は上記の設定画面の一例である。この設定画面では、動作対象４０を表示する対象表示欄２４１、設定可能な動作を表す動作ボタン群２４２、対象（キャラクター）設定ボタン２４３、キャンセルボタン２４４、決定ボタン２４５等が設けられる。
【００５１】
ユーザが対象設定ボタン２４３にタッチすると、携帯端末２ａは動作対象４０の選択画面（不図示）を表示部２４に表示させ、ユーザは当該選択画面にて動作対象４０を選択する。すると、携帯端末２ａは上記設定画面に戻り、図９に示すように選択された動作対象４０を対象表示欄２４１に表示する。
【００５２】
またユーザは、動作ボタン群２４２の中から所望のボタンにタッチすることで動作対象４０の動作を設定することができる。図９の例ではタッチされたボタンの色が元のボタンの色に対し反転して表示（白で表示）され、設定された動作が他の動作に対して視覚的に判別可能である。ただし、設定された動作を他の動作に対して視覚的に判別可能とする方法はこれに限らない。
【００５３】
動作対象４０に複数の動作を連続的に行わせる場合、例えばその動作順に従って動作ボタン群２４２のボタンをタッチすることで、それら一連の動作を設定することができる。図９の例ではボタンのタッチ順が丸囲み数字で表示され、ユーザが動作順を認識可能となっている。ただし、動作順を認識可能とする方法もこれに限ることはない。
【００５４】
ユーザは上記のようにして動作させる動作対象４０とその動作を設定し、それで良ければ決定ボタン２４５にタッチしてそれらの設定を確定する。対象表示欄２４１では、設定中の動作対象４０に設定中の動作をさせるプレビュー表示を行うことも可能である。
【００５５】
動作させる動作対象４０とその動作はこうして設定され、携帯端末２ａはそれらの設定を受付けた後、設定された動作対象４０に対応する対象指定情報２２１と、設定された動作に対応する動作指定情報２２２をICカード３のEEPROM３５に書込む（Ｓ１０３）。
【００５６】
なお図９のキャンセルボタン２４４は動作対象４０とその動作の設定をキャンセルするためのボタンであり、キャンセルボタン２４４にタッチすることで動作対象４０やその動作の設定をやり直すことができる。
【００５７】
（２−２．動作対象４０の動作の表示）
本実施形態では、以上のようにしてICカード３への書込を行った後、ICカード３が送り手から受け手へと贈られる。ICカード３の受け手は、自身の携帯端末２ｂによってICカード３から対象指定情報３５１や動作指定情報３５２を読取り、それらの情報に従って動作対象４０の画像を動作させる表示を行う。
【００５８】
図１０は動作対象４０の画像を動作させる表示を行う手順を示すフローチャートであり、図１０の各ステップは携帯端末２ｂの制御部２１が携帯端末２ｂの各部を制御して実行する。
【００５９】
本実施形態では、ICカード３の受け手であるユーザが自身の携帯端末２ｂをICカード３にかざす。すると、携帯端末２ｂはICカード３との間で通信を行い、ICカード３から起動命令を受信して専用のアプリケーションを起動する（Ｓ２０１）。なお、ICカード３との間で通信を行った携帯端末２ｂに上記アプリケーションがインストールされていない場合は、携帯端末２ｂをインターネット上のウェブサイトにアクセスさせ、当該アプリケーションをウェブサイトにてダウンロードさせるようにしてもよい。
【００６０】
アプリケーションを起動した携帯端末２は、ICカード３のEEPROM３５に書込まれている対象指定情報３５１と動作指定情報３５２を読取る（Ｓ２０２）。そして、読取った対象指定情報３５１と動作指定情報３５２に対応する動作表示情報２２３を記憶部２２から取得し（Ｓ２０３）、当該動作表示情報２２３に基づいて、動作対象４０の画像を動作させる表示を行う（Ｓ２０４）。
【００６１】
図１１はこの表示の例であり、本実施形態では、上記の動作表示情報２２３に基づいて、対象指定情報３５１で指定された動作対象４０に、動作指定情報３５２で指定された「歩く」→「躓く」→「振り返る」→「走る」の一連の動作をさせる表示が行われる。
【００６２】
以上説明したように、本実施形態では、動作対象４０を動作させる表示を行うのに必要な動作対象４０の画像等の動作表示情報２２３を携帯端末２に記憶しておき、ICカード３に書込まれた動作指定情報３５２等を携帯端末２にて読取ると、読取った動作指定情報３５２で指定された動作を動作対象４０にさせる表示を行うことが可能になる。これにより、ICカード３の送り手と受け手の二者間で、動作対象４０の動作による面白みのある情報の伝達が可能になる。しかも、ICカード３に動作対象４０の画像等の大容量のデータを記憶させる必要はなく、小さいデータ容量のICカード３を贈答に用いることができる。
【００６３】
また、広く普及しているスマートフォン等の携帯端末２には通常、ICカード３との間で非接触式の通信を行うためのICカードR/W２７が付属しているため、本システムを利用するための新たなコストは必要無く、ユーザが気軽に利用できる。また本実施形態では動作表示情報２２３を携帯端末２に記憶させているので、これをサーバ等からダウンロードする必要は無く、動作表示情報２２３やそのダウンロードに必要となるＩＤ等の管理をサーバで行う必要は無い。
【００６４】
また、携帯端末２は動作指定情報２２２等をICカード３に書込むことができるので、ICカード３の送り手の携帯端末２ａとしても機能させることができる。動作指定情報２２２等は携帯端末２に記憶されており、携帯端末２は、ICカード３に書込んだ動作指定情報２２２等を別のICカード３にも書込むことで、カードの複製を行うことが可能である。
【００６５】
また本実施形態ではICカード３に動作指定情報３５２等が上書き可能に書込まれており、ICカード３に動作指定情報３５２等が既に書込まれている場合、当該動作指定情報３５２等に上書きして新たな動作指定情報３５２等を書込むことができる。従って、ICカード３の受け手が、受け取ったICカード３に新たな動作指定情報３５２等を上書きして書込み、これをICカード３の送り手に返送することで、１枚のICカード３で情報交換ができ、ICカード３を用いた相互コミュニケーションが可能になる。
【００６６】
また、本実施形態では動作指定情報３５２だけで無く動作対象４０を指定する対象指定情報３５１もICカード３に書込んでおり、これにより動作をさせる動作対象４０をICカード３の送り手によって選択することが可能となるため、表現の幅を広げることができる。
【００６７】
しかしながら、本発明は上記の実施形態に限らない。例えば本実施形態ではICカード３の対象指定情報３５１や動作指定情報３５２を上書き可能としているが、対象指定情報３５１や動作指定情報３５２の書込時にICカード３のEEPROM３５に上書き禁止領域を設定し、当該領域に対象指定情報３５１や動作指定情報３５２を書込むなどしてこれらを上書き不可とすることもできる。この場合、ICカード３に対象指定情報３５１や動作指定情報３５２が既に書込まれていると新たな対象指定情報３５１や動作指定情報３５２を書込むことはできず、動作指定情報３５２等が第三者によって改変されるのを防ぐことができる。
【００６８】
また、本実施形態では動作させる動作対象４０を対象指定情報３５１によって指定しているが、動作させる動作対象４０が１種類の場合もあり、そのような場合では対象指定情報３５１を省略することもできる。
【００６９】
また、動作対象４０は人や動物などのキャラクターに限ることはない。例えば図１２に示すように動作対象４０を文字とし、その文字を動作させてもよい。
【００７０】
この場合、前記の対象指定情報２２１（３５１）は例えばその文字のテキストデータであり、動作表示情報２２３は例えばその文字のフォント画像を含む。ICカード３の送り手は、例えば前記の設定画面で文字を選択してメッセージを作成し、そのメッセージ（文字）のテキストデータを対象指定情報３５１としてICカード３に書込む。なおこの場合、前記の動作指定情報２２２は例えばフォント画像の拡大、縮小、回転、上下動、左右動等の動作を指示するテキストデータなどとできる。
【００７１】
さらに、図１３に示すように、動作対象４０の動作の表示を行うのに必要な認証情報３５３をICカード３のEEPROM３５に更に書込んでもよい。認証情報３５３は、ICカード３の受け手が知っているパスワードなどを前記の設定画面で設定してICカード３に書込むことができ、ICカード３の受け手の携帯端末２ｂによってICカード３の対象指定情報３５１と動作指定情報３５２の読取を行う（図１０のＳ２０２）前に、当該携帯端末２ｂでの認証情報３５３の入力を要求することにより、第三者が上記の表示を行うのを防ぐことができる。
【００７２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７３】
１：表示システム
２、２ａ、２ｂ：携帯端末
３：ICカード
４０：動作対象
２０１：記憶手段
２０２：読取手段
２０３：表示手段
２０４：書込手段
２２１、３５１：対象指定情報
２２２、３５２：動作指定情報
２２３：動作表示情報
３５３：認証情報
【図１】
2020181254.tif 000003
【図２】
2020181254.tif 000004
【図３】
2020181254.tif 000005
【図４】
2020181254.tif 000006
【図５】
2020181254.tif 000007
【図６】
2020181254.tif 000008
【図７】
2020181254.tif 000009
【図８】
2020181254.tif 000010
【図９】
2020181254.tif 000011
【図１０】
2020181254.tif 000012
【図１１】
2020181254.tif 000013
【図１２】
2020181254.tif 000014
【図１３】
2020181254.tif 000015